(57)【要約】【課題】  自然な開放空間を損なうことなく温度の安定した快適なサンルーム空間を得る。空気の浄化に対する付加価値を高めるとともに、実施容易化と低コスト化を図る。【解決手段】  サンルームＳの室内の空気を浄化するサンルーム用空気浄化システム１を構成するに際して、サンルームＳを付設した住宅本体Ｈにおける床下Ｈｄの空気Ａを取込み、かつ取込んだ空気ＡをサンルームＳの室内に送風する、少なくともダクト部３及びこのダクト部３に接続した送風機４を有する空気送風手段２と、この空気送風手段２により送風する空気Ａを、少なくとも一部に炭材Ｃ…を用いた空気浄化材７…をケーシング８に収容した空気浄化器６に通過させて空気Ａを浄化する空気浄化手段５とを備える。【選択図】  図１
2009197502.tif 000002
【特許請求の範囲】
【請求項１】
サンルームの室内の空気を浄化するサンルーム用空気浄化システムにおいて、前記サンルームを付設した住宅本体における床下の空気を取込み、かつ取込んだ空気を前記サンルームの室内に送風する、少なくともダクト部及びこのダクト部に接続した送風機を有する空気送風手段と、この空気送風手段により送風する空気を、少なくとも一部に炭材を用いた空気浄化材をケーシングに収容した空気浄化器に通過させて空気を浄化する空気浄化手段とを備えてなることを特徴とするサンルーム用空気浄化システム。
【請求項２】
前記空気浄化材には、少なくとも炭材と人工酵素を含有する複数の固形浄化材を用いることを特徴とする請求項１記載のサンルーム用空気浄化システム。
【請求項３】
前記サンルームの天井には、室内の空気を排出する空気排出手段を設けることを特徴とする請求項１記載のサンルーム用空気浄化システム。
【請求項４】
前記サンルームのガラス窓よりも下側に位置する内壁面に、浄化した空気を前記サンルームの室内に供給する一又は二以上の供給口を配したことを特徴とする請求項１記載のサンルーム用空気浄化システム。
【請求項５】
前記サンルームの床下に、前記送風機及び前記空気浄化器を配するとともに、前記送風機及び前記空気浄化器の上方の床面に、メンテナンス用の開閉部を設けることを特徴とする請求項１記載のサンルーム用空気浄化システム。
【請求項６】
前記室内の温度を検出する温度検出手段とこの温度検出手段により検出した温度に基づいて前記送風機の動作を制御する送風機制御手段を備えることを特徴とする請求項１記載のサンルーム用空気浄化システム。
【発明の詳細な説明】
【技術分野】
【０００１】
本発明は、清浄空気を供給してサンルームの室内の空気を浄化するサンルーム用空気浄化システムに関する。
【背景技術】
【０００２】
一般に、住宅の場合、快適な居住空間を確保する必要があるため、住宅内の空調（冷暖房）及び換気（空気浄化）を目的とした様々なシステムが提案されている。
【０００３】
特に、住宅の構造自体を直接利用したシステムも知られており、例えば、特許文献１には、床下部空間下方にべた基礎若しくは布基礎が設けられ、布基礎の場合には該布基礎同士の間の地面を敷設するコンクリートが設けられた住宅において、べた基礎のスラブ上若しくは布基礎同士の間に設けられたコンクリート上に敷設された木炭と、床下部空間と最上階の各居室部を連通する第１通風管と、第１通風管内の空気を送風させる送風機とが具備された木造住宅における床下調湿を利用した空調システムが開示され、また、特許文献２には、予備空調処理が施されており、外気が取り入れられる予備処理空間と、予備処理空間内に設けられており、予備処理空間内の空気を通過させる多孔質吸着材（竹炭）が充填された処理部と、処理部を通過させた後の空気を住宅内空間に供給する導入口と、住宅内空間の空気を屋外に排出する排出口とを有する住宅内環境浄化システムが開示されている。
【特許文献１】特開２００４−１６２９３２号公報
【特許文献２】特開２００４−１５０１０３号公報
【発明の開示】
【発明が解決しようとする課題】
【０００４】
ところで、快適な開放空間をつくることができるサンルームも普及しているが、サンルームは、ダイニングルームやリビングルーム等のように、生活に必須の居住空間とは異なり、室内空間をさほど広くする必要がなく、また、住宅をリフォームする際などに住宅本体に対して後付けにより施工する場合も少なくない。しかも、この種のサンルームでは、自然な開放空間を得るため、天井面（屋根面）や壁面をできるだけ多くのガラス板（透明板）で構成し、太陽光を大量に取り込めるようにするサンルーム固有の構造もあり、従来、サンルーム自体の構造を利用した空調や換気に係わるシステムはほとんど提案されていないのが実情である。
【０００５】
しかし、サンルームは、その構造上、夏場では温度が上がり暑くなり過ぎたり、曇った冬場では温度が下がり寒くなり過ぎたりするなど、サンルーム固有の課題も存在し、従来より、自然な開放空間を損なうことなく、快適で温度の安定した空間を得ることができる、より望ましいサンルーム用空気浄化システムの実用化が望まれていた。
【０００６】
本発明は、このような背景技術に存在する課題を解決したサンルーム用空気浄化システムの提供を目的とするものである。
【課題を解決するための手段】
【０００７】
本発明は、上述した課題を解決するため、サンルームＳの室内の空気を浄化するサンルーム用空気浄化システム１を構成するに際して、サンルームＳを付設した住宅本体Ｈにおける床下Ｈｄの空気Ａを取込み、かつ取込んだ空気ＡをサンルームＳの室内に送風する、少なくともダクト部３及びこのダクト部３に接続した送風機４を有する空気送風手段２と、この空気送風手段２により送風する空気Ａを、少なくとも一部に炭材Ｃ…を用いた空気浄化材７…をケーシング８に収容した空気浄化器６に通過させて空気Ａを浄化する空気浄化手段５とを備えてなることを特徴とする。
【０００８】
この場合、発明の好適な態様により、空気浄化材７…には、少なくとも炭材Ｃ…と人工酵素Ｅ…を含有する複数の固形浄化材７ｓ…を用いることができる。一方、サンルームＳの天井（屋根）Ｓｕには、室内の空気Ａを排出する空気排出手段１１を設けることができる。また、サンルームＳのガラス窓Ｓｇ…よりも下側に位置する内壁面Ｓｗに、浄化した空気ＡをサンルームＳの室内に供給する一又は二以上の供給口１２ｐ，１２ｑを配することができる。さらに、サンルームＳの床下Ｓｄに、送風機４及び空気浄化器６を配するとともに、送風機４及び空気浄化器６の上方の床面Ｓｆに、メンテナンス用の開閉部１３を設けることができる。他方、空気浄化システム１には、室内の温度を検出する温度検出手段１４とこの温度検出手段１４により検出した温度に基づいて送風機４の動作を制御する送風機制御手段１５を設けることができる。
【発明の効果】
【０００９】
このような構成を有する本発明に係るサンルーム用空気浄化システム１によれば、次のような顕著な効果を奏する。
【００１０】
（１）  サンルームＳを付設した住宅本体Ｈにおける床下Ｈｄの空気Ａを取込み、かつ取込んだ空気ＡをサンルームＳの室内に送風する、少なくともダクト部３及びこのダクト部３に接続した送風機４を有する空気送風手段２を備えるため、サンルームＳの室内が、夏場で温度が上がり暑くなり過ぎたり、曇った冬場で温度が下がり寒くなり過ぎたりする不具合を解消又は緩和し、自然な開放空間を損なうことなく、温度の安定した快適なサンルーム環境を得ることができる。
【００１１】
（２）  空気送風手段２により送風する空気Ａを、少なくとも一部に炭材Ｃ…を用いた空気浄化材７…をケーシング８に収容した空気浄化器６に通過させて空気Ａを浄化する空気浄化手段５を備えるため、室内の空間がさほど広くないサンルームＳにおける空気に対する浄化を容易かつ有効に行うことができるとともに、空気Ａの浄化に対する付加価値を高め、より望ましい快適空間を得ることができる。
【００１２】
（３）  住宅本体Ｈにおける床下Ｈｄの空気Ａを利用するため、例えば、ダクト部３を既存地窓を通して延長すれば実現できるなど、比較的簡易なシステム構成により、また、冷暖房装置等を使用することなく実現できるため、容易に実施できるとともに、イニシャルコスト及びランニングコントの双方において低コスト化を図ることができる。
【００１３】
（４）  好適な態様により、空気浄化材７…に、少なくとも炭材Ｃ…と人工酵素Ｅ…を含有する複数の固形浄化材７ｓ…を用いれば、炭材Ｃ…による除臭作用，除湿作用及び除菌作用を確保できるとともに、人工酵素Ｅ…による炭材Ｃ…に吸着した臭気成分等に対する分解作用により、炭材Ｃ…の効能を長時間維持することができる。
【００１４】
（５）  好適な態様により、サンルームＳの天井（屋根）Ｓｕに、室内の空気Ａを排出する空気排出手段１１を設ければ、室内の換気を室内環境に合わせて臨機応変に行うことができる。
【００１５】
（６）  好適な態様により、サンルームＳのガラス窓Ｓｇ…よりも下側に位置する内壁面Ｓｗに、浄化した空気ＡをサンルームＳの室内に供給する一又は二以上の供給口１２ｐ，１２ｑを配すれば、ダクト部３の一部又は全部をサンルームＳの構造体から露出させることなく配することができ、形状性（外観性）を高めることができる。
【００１６】
（７）  好適な態様により、サンルームＳの床下Ｓｄに、送風機４及び空気浄化器６を配するとともに、送風機４及び空気浄化器６の上方の床面Ｓｆに、メンテナンス用の開閉部１３を設ければ、送風機４及び空気浄化器６の故障や交換などに対するメンテナンスを容易に行うことができる。
【００１７】
（８）  好適な態様により、空気浄化システム１に、室内の温度を検出する温度検出手段１４とこの温度検出手段１４により検出した温度に基づいて送風機４の動作を自動制御する送風機制御手段１５を設ければ、送風機４の常時作動や手動による操作を回避し、温度の安定した快適な空間を常時維持することができる。
【発明を実施するための最良の形態】
【００１８】
次に、本発明に係る最良の実施形態を挙げ、図面に基づき詳細に説明する。
【００１９】
まず、本発明に係る空気浄化システム１の理解を容易にするため、同システム１を付設するサンルームＳの構造について、図１及び図２を参照して説明する。
【００２０】
Ｓは既設の住宅本体Ｈに付設したサンルームを示す。サンルームＳは、大別して、本体部Ｓｍと接続体部Ｓｃからなる。本体部Ｓｍは、様々な住宅本体Ｈの形態（形状及び構成）に対して共通に使用する部分となり、接続体部Ｓｃは、本体部Ｓｍと住宅本体Ｈを接続する部分となる。したがって、接続体部Ｓｃは、住宅本体Ｈの形態に適合するように各種形態（形状及び構成）により実施できる。なお、住宅本体Ｈは、その主要構成の記載を省略するが、図１及び図２中、Ｈｆは住宅本体Ｈの床面、Ｈｄは住宅本体Ｈの床下、Ｈｒは住宅本体Ｈの屋根、Ｈｐｏは住宅本体Ｈの外壁面、Ｈｐｐ…は住宅本体Ｈの柱を示しており、住宅本体Ｈは、一般的な住宅構造を想定することができる。
【００２１】
サンルームＳにおいて、５１は、地面Ｇに打設したコンクリート床５０上に起設した基礎部を示す。基礎部５１は、図２に示すように、平面視が十四角形の半分の形状となる本体部Ｓｍに対応する本体基礎部５１ｍと、この本体基礎部５１ｍの両端と住宅本体Ｈ側の布基礎を接続する第一接続基礎部５１ｐと第二接続基礎部５１ｑを有する。基礎部５１の上には床面Ｓｆを施工する。この床面Ｓｆは、図１に示すように、住宅本体Ｈの床面Ｈｆと同一高さにし、可能であれば連続させることが望ましい。基礎部５１上であって外側位置には外壁面５２を施工するとともに、床面Ｓｆ上であって、内側位置には内壁面Ｓｗを施工する。内壁面Ｓｗと外壁面５２は壁部Ｗを構成し、内壁面Ｓｗと外壁面５２間には、必要により断熱材を収容する。
【００２２】
また、本体基礎部５１ｍに施工した壁部Ｗの上にはガラス窓Ｓｇ…を施工する。この場合、本体基礎部５１ｍの形状からガラス窓Ｓｇ…は全部で七面となる。このうち、二面は、図２に示すように開閉窓Ｓｇｏ…として構成する。さらに、ガラス窓Ｓｇ…の上には天井Ｓｕを施工する。なお、この天井Ｓｕは屋根を兼ねている。天井Ｓｕは、七面のガラス窓Ｓｇ…の両端を結ぶ線上の中心であって、かつガラス窓Ｓｇ…の上端よりも高い位置に天井Ｓｕの頂点部Ｓｕｐを設け、この頂点部Ｓｕｐと各ガラス窓Ｓｇ…の上端辺間をガラス板（透明板）で覆うことにより構成する。
【００２３】
一方、第一接続基礎部５１ｐと第二接続基礎部５１ｑの上には、それぞれ第一接続壁部５４ｐと第二接続壁部５４ｑを施工する。この場合、第二接続壁部５４ｑには、ガラス窓（小窓）５５を設けるとともに、この上側に開閉式の換気口５６を設ける。また、第一接続壁部５４ｐと第二接続壁部５４ｑの上には、切妻屋根５７を施工する。以上が、サンルームＳの全体構造となる。そして、このサンルームＳに、本実施形態に係る空気浄化システム１を付設する。
【００２４】
次に、本実施形態に係る空気浄化システム１の構成について、図１〜図５を参照して説明する。
【００２５】
空気浄化システム１は、大別して、空気送風手段２と空気浄化手段５を備える。空気送風手段２は、少なくともダクト部３及びこのダクト部３に接続する送風機４を備える。また、空気浄化手段５は、ダクト部３の中途であって、送風機４の下流側に接続する空気浄化器６を備える。送風機４及び空気浄化器６は、サンルームＳの床下Ｓｄ、即ち、床面Ｓｆの下方に設置する。送風機４には、ファンをモータで回転させる一般的な換気扇等の電動ファン４ｓ（ＡＣ１００〔Ｖ〕）を用いることができる。なお、２１は送風機４の保護カバーを示す。一方、送風機４及び空気浄化器６の上方の床面Ｓｆには、メンテナンス用の開閉部（点検口）１３を設ける。これにより、送風機４及び空気浄化器６の故障や交換などに対するメンテナンスを容易に行うことができる利点がある。
【００２６】
また、空気浄化器６は、図３及び図４に示すように、少なくとも一部に炭材Ｃ…を用いた空気浄化材７…、望ましくは炭材Ｃ…と人工酵素Ｅ…を含有する複数の固形浄化材７ｓ…を使用し、この固形浄化材７ｓ…をケーシング８に収容して構成する。ケーシング８は、円筒形のケーシング本体部８ｍを備え、このケーシング本体部８ｍの両端開口を、ステンレス網等の通気部材８ｆ，８ｓにより覆うとともに、この通気部材８ｆ，８ｓはフランジ部２２ｆ，２２ｓにより固定する。
【００２７】
固形浄化材７ｓ（空気浄化材７）は、粉末化した炭材Ｃ…，人工酵素Ｅ…及び必要なバインダを含有する材料により任意の形状に成形することができる。図５は、大きさが鶏卵程度となる球状に成形した固形浄化材７ｓを示す。このような固形浄化材７ｓとしては、「有限会社宮入木型製作所」製の「炭ごこち（商品名）」が望ましい。この固形浄化材７ｓは、図５に示すイメージ図のように、炭材Ｃ…の有する細孔Ｃｓ…の吸着機能により、臭気成分やホルムアルデヒド等の不快要素Ｘ…を吸着し、除臭作用，除湿作用及び除菌作用を呈する。また、人工酵素Ｅ…は、炭材Ｃ…（細孔Ｃｓ…）に吸着した臭気成分等の不快要素Ｘ…を分解する分解機能を有するため、炭材Ｃ…の効能を長時間維持することができる。なお、Ａｘ…は人工酵素Ｅ…により分解されたクリーン物質を示している。
【００２８】
一方、送風機４の吸入口には、ダクト部３における上流側ダクト（円形パイプ）３ｆの一端口を接続し、上流側ダクト３ｆの他端側は、住宅本体Ｈにおける既設の地窓６１を通して住宅本体Ｈの床下Ｈｄまで延設する。上流側ダクト３ｆの他端口は、住宅本体Ｈの全体エリアにおける床下Ｈｄのできるだけ中程が望ましい。例示の上流側ダクト３ｆは、Ｌ形の送風路を構成するが、このような送風路の形状や長さは、住宅本体Ｈの形態に合わせて任意に設定できる。図中、２３は上流側ダクト３ｆの他端口（空気取込口）に設けたゴミ除け用のステンレス網を示す。このように、本実施形態に係る空気浄化システム１によれば、住宅本体Ｈにおける床下Ｈｄの空気Ａを利用するため、ダクト部３を既存の地窓６１を通して延長すれば実現できるなど、比較的簡易なシステム構成により、また、冷暖房装置等を使用することなく実現できるため、容易に実施できるとともに、イニシャルコスト及びランニングコントの双方において低コスト化を図ることができる。
【００２９】
さらに、送風機４の吐出口と空気浄化器６の流入側のフランジ部２２ｆは、接続ダクト（円形パイプ）３ｃにより接続するとともに、空気浄化器６の流出側のフランジ部２２ｓは、下流側ダクト３ｓの一端口に接続する。下流側ダクト３ｓは、Ｔ形の継手ダクト３ｓｊと左右一対の分岐ダクト（円形パイプ）３ｓｐ，３ｓｑを備える。各分岐ダクト３ｓｐ，３ｓｑは、図２に示すように、先端側を、ガラス窓Ｓｇ…の下方に位置する壁部Ｗの内壁面Ｓｗと外壁面５２間に導入するとともに、上方へ起立させ、先端の供給口１２ｐ，１２ｑを内壁面Ｓｗから室内に臨ませる。このように、ガラス窓Ｓｇ…よりも下側に位置する内壁面Ｓｗに、左右一対の供給口１２ｐ，１２ｑを配すれば、ダクト部３の一部又は全部をサンルームＳの構造体から露出させることなく配することができ、形状性（外観性）を高めることができる利点がある。
【００３０】
他方、図１に示すように、サンルームＳの天井Ｓｕにおける頂点部Ｓｕｐには、室内の空気Ａを排出する空気排出手段１１を設ける。この空気排出手段１１は、ファンをモータで回転させる一般的な換気扇等の電動ファン３１及び外部に導出する排気ダクト３２により構成できる。このような空気排出手段１１を設けることにより、室内の換気を室内環境に合わせて臨機応変に行うことができる利点がある。
【００３１】
その他、図３及び図４に示すように、必要（オプション）により、室内の温度を検出する温度センサ１４ｓを用いた温度検出手段１４と、この温度検出手段１４により検出した温度に基づいて送風機４の動作を自動制御するマイコン式コントローラ１５ｃを用いた送風機制御手段１５を設けることもできる。これにより、例えば、夏季において、室内の温度が設定温度以上になったなら自動で送風機４を作動させることができるとともに、冬季において、室内の温度が設定温度以下になったなら自動で送風機４を作動させることができる。また、必要によりタイマ等と組合わせ、設定した開始時刻と終了時刻により自動で送風機４を作動させるようにしてもよい。このような温度検出手段１４及び送風機制御手段１５を用いれば、送風機４の常時作動や手動による操作を回避できるとともに、温度の安定した快適な空間を常時維持することができる利点がある。
【００３２】
次に、本実施形態に係る空気浄化システム１の動作（機能）について、図１〜図８を参照して説明する。
【００３３】
まず、送風機４を作動させることにより、住宅本体Ｈにおける床下Ｈｄ、特に、中程の床下Ｈｄにおける空気Ａが、空気取込口２３から上流側ダクト３ｆに取込まれる。図６は、送風機４を作動させた経過時間〔Ｈ〕に対する各部の温度の計測データを示し、Ｔｄは床下Ｈｄの温度、Ｔｏは外気の温度、ＴｒはサンルームＳの室内温度を示している。一般に、床下Ｈｄの温度Ｔｄは変動が少なく、外気の温度が高いときは相対的に低くなり、外気の温度が低いときは相対的に高くなることが知られているが、図６の計測データからも明らかなように、昼夜において、外気の温度Ｔｏが、０〜２５〔℃〕の間で変動しても、床下Ｈｄの温度Ｔｄの変動は、２０〜２２〔℃〕となる。したがって、上流側ダクト３ｆには、２０〜２２〔℃〕の空気Ａが取込まれる。
【００３４】
一方、上流側ダクト３ｆに取込まれた空気Ａは、送風機４を介して空気浄化器６に供給される。空気浄化器６には、多数の固形浄化材７ｓ…（空気浄化材７…）が収容されているため、この固形浄化材７ｓ…により空気Ａの浄化が行われる。この場合、ケーシング８の内部を空気Ａが通過することにより、空気Ａに含まれる臭気成分やホルムアルデヒド等の不快要素Ｘ…が炭材Ｃ…の有する細孔Ｃｓ…に吸着される。即ち、炭材Ｃ…の除臭作用，除湿作用及び除菌作用により、空気Ａの浄化が行われる。
【００３５】
図７及び図８は、固形浄化材７ｓ…の性能試験結果を示す。図７は、検知管・ＣＧ法を用いた試験結果であり、容器体積１２〔リットル〕に収容した臭気物質の経過時間〔分〕に対する臭気濃度〔ｐｐｍ〕推移を示す。図７中、Ｒａはメチルメルカブタン、Ｒｂはｐ−キシレン、Ｒｃはｏ−キシレン、Ｒｄはトリメチルアミン、Ｒｅはアンモニアを示し、初期濃度は、メチルメルカブタンＲａが０．７３〔ｐｐｍ〕、ｐ−キシレンＲｂ及びｏ−キシレンＲｃが共に４３〔ｐｐｍ〕、トリメチルアミンＲｄが４２〔ｐｐｍ〕、アンモニアＲｅが５５０〔ｐｐｍ〕である。図８は、検知管法を用いた消臭性能試験結果であり、容器体積５〔リットル〕に収容した硫化水素ＲｇとホルムアルデヒドＲｈの経過時間〔Ｈ〕に対する臭気濃度〔ｐｐｍ〕変化を示す。初期濃度は、硫化水素Ｒｇが８００〔ｐｐｍ〕、ホルムアルデヒドＲｈが４００〔ｐｐｍ〕である。このように、固形浄化材７ｓ…を利用することにより、十分な消臭効果を得ることができる。また、固形浄化材７ｓ…は、人工酵素Ｅ…を含有するため、炭材Ｃ…に吸着した臭気成分等の不快要素Ｘ…は、人工酵素Ｅ…により分解され、クリーン物質として放出される。したがって、目詰まりがなく、炭材Ｃ…の効能が長時間維持される。
【００３６】
そして、空気浄化器６により浄化された空気Ａ（清浄空気Ａｏ）は、下流側ダクト３ｓに供給される。これにより、清浄空気Ａｏは、Ｔ形の継手ダクト３ｓｊ，分岐ダクト３ｓｐ，３ｓｑを介して左右一対の供給口１２ｐ，１２ｑからサンルームＳの室内に供給され、サンルームＳの室内における空気の浄化が行われる。なお、空気排出手段１１の電動ファン３１を作動させることにより、サンルームＳの室内の換気が行われる。
【００３７】
よって、このような本実施形態に係るサンルーム用空気浄化システム１によれば、サンルームＳを付設した住宅本体Ｈにおける床下Ｈｄの空気Ａを取込み、かつ取込んだ空気ＡをサンルームＳの室内に送風する、少なくともダクト部３及びこのダクト部３に接続した送風機４を有する空気送風手段２を備えるため、サンルームＳの室内が、夏場で温度が上がり暑くなり過ぎたり、曇った冬場で温度が下がり寒くなり過ぎたりする不具合を解消又は緩和し、自然な開放空間を損なうことなく、温度の安定した快適なサンルーム環境を得ることができる。また、空気送風手段２により送風する空気Ａを、少なくとも一部に炭材Ｃ…を用いた空気浄化材７…をケーシング８に収容した空気浄化器６に通過させて空気Ａを浄化する空気浄化手段５を備えるため、室内の空間がさほど広くないサンルームＳにおける空気に対する浄化を容易かつ有効に行うことができるとともに、空気Ａの浄化に対する付加価値を高め、より望ましい快適空間を得ることができる。
【００３８】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３９】
例えば、空気浄化材７…として、少なくとも炭材Ｃ…と人工酵素Ｅ…を含有する複数の固形浄化材７ｓ…を用いた場合を示したが、少なくとも炭材Ｃ…を含有する空気浄化材７…の使用を排除するものではない。なお、炭材Ｃ…には活性炭も含まれる。一方、空気排出手段１１の使用も任意であり、必ずしも設置することを要しない。また、供給口１２ｐ，１２ｑは、左右一対配した場合を示したが、一つでもよいし、三つ以上であってもよい。さらに、サンルームＳの形態も例示に限定されるものではなく、各種形態（構成，形状）のサンルームＳに適用することができる。
【図面の簡単な説明】
【００４０】
【図１】本発明の最良の実施形態に係る空気浄化システムを備えるサンルームの一部破断側面構成図、
【図２】同空気浄化システムを備えるサンルームの主要部を示す平面構成図、
【図３】同空気浄化システムの主要部を示す斜視図、
【図４】同空気浄化システムの送風機及び空気浄化器の一部断面構成図、
【図５】同空気浄化システムの空気浄化器に使用する固形浄化材の作用説明図、
【図６】同空気浄化システムを用いた場合における経過時間に対する各部の温度変化特性図、
【図７】同空気浄化システムの空気浄化器に使用する固形浄化材の性能試験結果を示す経過時間に対する臭気濃度特性図、
【図８】同空気浄化システムの空気浄化器に使用する固形浄化材の性能試験結果を示す経過時間に対する他の臭気濃度特性図、
【符号の説明】
【００４１】
１：サンルーム用空気浄化システム，２：空気送風手段，３：ダクト部，４：送風機，５：空気浄化手段，６：空気浄化器，７…：空気浄化材，７ｓ…：固形浄化材，８：ケーシング，１１：空気排出手段，１２ｐ：供給口，１２ｑ：供給口，１３：開閉部，１４：温度検出手段，１５：送風機制御手段，Ｓ：サンルーム，Ｓｕ：サンルームの天井（屋根），Ｓｇ…：ガラス窓，Ｓｗ：内壁面，Ｓｄ：サンルームの床下，Ｓｆ：床面，Ｈ：住宅本体，Ｈｄ：住宅本体の床下，Ａ：空気，Ｃ…：炭材，Ｅ…：人工酵素
【図１】
2009197502.tif 000003
【図２】
2009197502.tif 000004
【図３】
2009197502.tif 000005
【図４】
2009197502.tif 000006
【図５】
2009197502.tif 000007
【図６】
2009197502.tif 000008
【図７】
2009197502.tif 000009
【図８】
2009197502.tif 000010